(57)【要約】      （修正有）【課題】構造が簡略で、体積が小さく、組立が容易な遊戯銃の弾道調整構造を提供する。【解決手段】遊戯銃の弾道調整構造は、銃弾にトップスピンをかけて弾道を変化させることができ、銃胴体１と、擦動スリーブ３と、調整管５と、作動装置６と、銃胴体に挿着される内部銃身２とを含む。擦動スリーブは内部銃身にスリーブ接続され、さらに内部銃身中に位置する擦動部３１を有する。調整管は自由端５ｂと、銃胴体に枢着され、螺旋案内溝５２２が設けられた枢着端５ａとを有する。作動装置は銃胴体に可動的に設置され、螺旋案内溝に挿入される受動部と、擦動スリーブを作動させる作動部とを有する。自由端に付勢し、枢着端を回転させるとき、受動部は螺旋案内溝の誘導を受けて作動部を続けて変位させ、作動部は変位により、擦動スリーブを作動させ、内部銃身中の擦動部の位置を変化させる。【選択図】図７
0003222459.tif 000002
【実用新案登録請求の範囲】
【請求項１】
銃胴体と、
該銃胴体に挿着される内部銃身と、
該内部銃身にスリーブ接続され、該内部銃身中に位置する擦動部を有する擦動スリーブと、
互いに相対する枢着端および自由端を有する調整管であって、該枢着端は回転可能に該銃胴体に枢着され、該枢着端に螺旋案内溝が設けられ、該螺旋案内溝は該枢着端を介して該調整管に従って回転する調整管と、
該銃胴体に可動的に設置され、受動部および作動部を有し、該受動部は該螺旋案内溝に挿入され、該作動部は該擦動スリーブを作動させる作動装置と、を含み、
このうち、該調整管の該自由端は外力の作用を受けて該枢着端を回転させ、該作動装置の該受動部は、該螺旋案内溝の誘導を受けて該作動部を続いて変位させ、該作動部は変位により、該擦動スリーブを作動させ、該内部銃身中の該擦動部の位置を変化させる、
遊戯銃の弾道調整構造。
【請求項２】
該擦動部の位置に対応して該擦動スリーブにスリーブ接続されるカラーをさらに含み、該作動装置の該作動部は該カラーに接続され、該作動装置は該作動部を介し、該カラーを変位させて該擦動スリーブを押さえ、該内部銃身中の該擦動部の位置を変化させる、請求項１に記載の遊戯銃の弾道調整構造。
【請求項３】
該カラーが差込口を有し、該作動装置の該作動部は該差込口に挿入され、該カラーを動かすことができる、請求項２に記載の遊戯銃の弾道調整構造。
【請求項４】
該銃胴体にスライド溝が設けられ、該カラーから凸体が突出し、該差込口は該凸体に設けられ、該カラーは該凸体と共に該スライド溝にスライド接続され、該カラーは該スライド溝に沿って、該擦動スリーブに相対してスライドすることができる、請求項３に記載の遊戯銃の弾道調整構造。
【請求項５】
該枢着端は端面を有し、該端面に第１枢着部が設けられ、さらに該第１枢着部を取り囲む該螺旋案内溝が設けられ、該枢着端は該第１枢着部により該銃胴体と互いに枢着する、請求項１に記載の遊戯銃の弾道調整構造。
【請求項６】
該銃胴体は回転軸を有し、該第１枢着部は該調整管の長手方向に沿って設けられるピボット孔であり、該回転軸は該ピボット孔に対応して枢着される、請求項５に記載の遊戯銃の弾道調整構造。
【請求項７】
該端面に該第１枢着部を取り囲む波形構造がさらに設置され、該銃胴体に凸部品が設置され、該凸部品は該波形構造に対応して係入され、該波形構造は該枢着端を介して該調整管に従って回転し、該凸部品を通る、請求項５に記載の遊戯銃の弾道調整構造。
【請求項８】
該作動装置はアーム体および第２枢着部を含み、該受動部および該作動部はそれぞれ該アーム体の両端であり、該第２枢着部は該受動部および該作動部の間に位置し、該銃胴体に枢着される、請求項１に記載の遊戯銃の弾道調整構造。
【請求項９】
該調整管は管体と、弾性要素と、該管体の一端に接続され、該枢着端を形成する回転盤とを含み、該回転盤は該管体に従って回転し、該弾性要素は該管体にスリーブ接続され、さらに該回転盤を可動支持する、請求項１に記載の遊戯銃の弾性調整構造。
【請求項１０】
該回転盤は互いに相対する表面および裏面を有し、該弾性要素は該裏面を可動支持し、該螺旋案内溝は該表面に設けられる、請求項９に記載の遊戯銃の弾道調整構造。
【考案の詳細な説明】
【技術分野】
【０００１】
本考案は遊戯銃に関し、特に遊戯銃の弾道調整構造を指す。
【背景技術】
【０００２】
一般的に、発射後の銃弾の弾道を安定させるため、銃身の内壁に螺旋状のライフリング（ｒｉｆｌｉｎｇ）が刻まれる。これにより銃弾が銃身内で前進するとき、ライフリングに沿って高速に回転することができ、弾道が安定し、射程が増加し、さらには精確に目標に的中する。
【０００３】
しかしながら、一般的な遊戯銃の構造は比較的簡単で、銃身の内壁に銃弾の回転を誘導するライフリングを有さない。使用者がたとえ精確に目標に照準を合わせても、実際には弾道が不安定で、射程が不足するため、依然として目標から外れる。
【０００４】
このため、現在の遊戯銃は銃内に擦動部品を設置することにより、発射させた銃弾を擦動部品で擦動させてトップスピンをかける。銃弾のトップスピンにより、弾道の放物線を大きくすることができ、さらには弾道が安定し、射程が増加する。
【０００５】
しかし、既存の遊戯銃の弾道調整装置は克服する必要がある欠陥を有する。それは、既存の弾道調整装置は構成部品が比較的多く、組立が難しい問題を有するほか、体積が増加し、さらには遊戯銃のその他の構造の配置設計に影響を及ぼすことである。
【０００６】
したがって、上記欠点を改善することができる本考案をいかにして設計するかが、本考案者が速やかな解決を望む大きな課題である。
【考案の概要】
【考案が解決しようとする課題】
【０００７】
本考案の目的は、より簡略化した構造により、銃弾の弾道を変化させることができ、さらには弾道調整構造の体積を小さくすると同時に、組立が容易である効果を有する、遊戯銃の弾道調整構造を提供することにある。
【課題を解決するための手段】
【０００８】
上記目的を達成するため、本考案は遊戯銃の弾道調整構造を提供する。これは銃胴体と、該銃胴体に挿着される内部銃身と、該内部銃身にスリーブ接続され、該内部銃身中に位置する擦動部を有する擦動スリーブと、互いに相対する枢着端および自由端を有する調整管であって、該枢着端は回転可能に該銃胴体に枢着され、該枢着端に螺旋案内溝が設けられ、該螺旋案内溝は該枢着端を介して該調整管に従って回転する調整管と、該銃胴体に可動的に設置され、受動部および作動部を有し、該受動部は該螺旋案内溝に挿入され、該作動部は該擦動スリーブを作動させる作動装置と、を含む。このうち、該調整管の該自由端は外力の作用を受けて該枢着端を回転させ、該作動装置の該受動部は、該螺旋案内溝の誘導を受けて該作動部を続いて変位させる。該作動部は変位により、該擦動スリーブを作動させ、該内部銃身中の該擦動部の位置を変化させる。
【考案の効果】
【０００９】
先行技術と比較して、本考案は構造を簡略化し、体積を小さくし、組立が容易である効果を有する。
【図面の簡単な説明】
【００１０】
【図１】本考案中の銃身の一方向からの斜視図である。
【図２】本考案中の銃身の別の方向からの斜視図である。
【図３】本考案中の銃身における内部銃身およびフレームを省いた後の立体分解図である。
【図４】本考案中の銃身におけるフレームを省いた後の立体状態図である。
【図５】本考案の図４からさらに銃胴体を省いた後の別の方向からの斜視図（調整前）である。
【図６】本考案の図４に基づいた断面図である。
【図７】本考案中の銃身における調整前の断面図である。
【図８】本考案の図７に基づいた部分拡大図である。
【図９】本考案中の銃身における調整後の断面図である。
【図１０】本考案の図９に基づいた部分拡大図である。
【考案を実施するための形態】
【００１１】
本考案に関する詳細な説明および技術内容を、図を組み合わせて以下のように説明する。しかしながら添付の図は参考および説明用に提供したに過ぎず、本考案を制限するものではない。
【００１２】
本考案は、遊戯銃の弾道調整構造を提供する。より簡略化した構造設計により、発射させた銃弾にトップスピンをかけることができ、トップスピンをかけることにより、銃弾を上昇させて弾道を変化させ、これにより放物線を大きくして射程を増加させ、弾道を安定させる。
【００１３】
図１から図８に示すように、本考案の遊戯銃の弾道調整構造は、銃胴体１、内部銃身２、擦動スリーブ３、調整管５および作動装置６を含み、好ましくはカラー４およびフレーム７（図１、図２および図７を参照）をさらに含む。銃胴体１、内部銃身２および調整管５は、フレーム７に覆われ、銃身１００を構成する。言い換えると、本考案の弾道調整構造は、遊戯銃の銃身１００に設置されるが、これに限定されない。
【００１４】
銃胴体１は単一部品の構造（図示せず）でも、図に示すような２部品式の構造でもよい。２部品式の銃胴体１は互いに対合する２つの筐体１１を含み、内部銃身２の内部端は銃胴体１内に挿着され、内部銃身２の内部端に設けた不足部分２１（図８を参照）は銃胴体１内に位置する。
【００１５】
好ましくは、銃胴体１は内部銃身２の長手方向に沿って延伸する回転軸１１１を有する。さらに銃胴体１内にスライド誘導機能を有するスライド溝１１２（図３、図４および図８を参照）が設けられ、スライド溝１１２のスライド誘導方向は、内部銃身２の長手方向に対応して交差する。
【００１６】
擦動スリーブ３は弾性材質で製造され、内部銃身２の内部端にスリーブ接続される。擦動スリーブ３の内壁から突出する擦動部３１（図７および図８を参照）は不足部分２１内に対応して位置し、これにより擦動スリーブ３の弾性変形を利用して、内部銃身２中の擦動部３１の位置を変化させる。つまり擦動部３１は元々内部銃身２の内壁から突出していないが、内部銃身２の内壁から突出するように変化させることができる。
【００１７】
調整管５は、互いに相対する枢着端５ａおよび自由端５ｂを有する。枢着端５ａは回転可能に銃胴体１に枢着され、調整管５はこれにより受動的に回転することができる。枢着端５ａに螺旋案内溝５２２が設けられ、螺旋案内溝５２２は枢着端５ａを介して調整管５に従って回転することができる。自由端５ｂはフレーム７の外に露出する。
【００１８】
好ましくは、調整管５の枢着端５ａは端面（付番せず）を有し、端面に第１枢着部５２１が設けられ、さらに前記螺旋案内溝５２２が設けられる。図６に示すように、螺旋案内溝５２２は第１枢着部５２１を螺旋状に取り囲み、さらに螺旋案内溝５２２は調整高点（例えば螺旋案内溝５２２の螺旋の外側端）および調整低点（例えば螺旋案内溝５２２の螺旋の内側端）を有する。枢着端５ａは、第１枢着部５２１により銃胴体１と互いに枢着する。図に示すように、第１枢着部５２１は調整管５の長手方向に沿って設けられるピボット孔でよく、前記回転軸１１１をピボット孔に対応して枢着させる。
【００１９】
作動装置６は可動的に銃胴体１に設置され、枢着端５ａは作動装置６を介して擦動スリーブ３を移動させることができる。作動装置６は受動部６１１および作動部６１２を有し、受動部６１１は螺旋案内溝５２２に挿入、誘導され、作動部６１２は擦動スリーブ３を作動させる。図６に示すように、調整前、受動部６１１は螺旋案内溝５２２の調整低点に位置する。言い換えると、調整後、受動部６１１は調整高点に位置する。
【００２０】
本考案は作動装置６の構造を限定せず、作動装置６が螺旋案内溝５２２に誘導され、擦動スリーブ３を作動させることができればよい。本実施例では、本段落の後述の記載を例にして説明する。作動装置６はアーム体６１および第２枢着部６２を含み、前記受動部６１１および作動部６１２はそれぞれアーム体６１の両端である。第２枢着部６２は受動部６１１および作動部６１２の間に位置し、銃胴体１に枢着され、アーム体６１は第２枢着部６２を支点として、シーソーのように動作することができる。
【００２１】
カラー４は擦動部３１の位置に対応して擦動スリーブ３にスリーブ接続され、カラー４は凸体４１と共に前記スライド溝１１２にスライド接続され、カラー４はスライド溝１１２に沿って擦動スリーブ３に相対してスライドすることができる。作動装置６の作動部６１２はカラー４に接続され、これにより作動装置６はカラー４を介して擦動スリーブ３を作動させることができる。本考案は、作動部６１２がカラー４に接続される方式に限定されない。本実施例では、カラー４から凸体４１が突出し、凸体４１に差込口４１１が設けられることを例にして説明を行う。作動装置６は作動部６１２を差込口４１１内に挿入させることにより、カラー４をスライドさせることができる。
【００２２】
これにより、使用者が自由端５ｂに付勢して調整管５を回転するように制御するとき、枢着端５ａは調整管５に従って回転し、さらには螺旋案内溝５２２の回転角度を制御する。詳細は下記の通りである。
【００２３】
図７、図８、さらに図６に示すように、螺旋案内溝５２２が第１角度まで回転するとき、作動装置６の受動部６１１は螺旋案内溝５２２の調整低点に位置し、作動装置６の作動部６１２は相対的に高い点に位置する。これによりカラー４をスライド溝１１２に沿って上にスライドさせ、カラー４は擦動スリーブ３を押さえない。したがって擦動部３１も内部銃身２の内壁から突出せず、これは弾道の第１調整状態であり、銃弾９００は発射後、擦動部３１に擦動されることはないため、トップスピンがかかることはない。
【００２４】
図９および図１０に示すように、螺旋案内溝５２２が第２角度まで回転するとき、作動装置６の受動部６１１は螺旋案内溝５２２の調整高点に位置し、作動装置６の作動部６１２は相対的に低い点に位置する。これによりカラー４をスライド溝１１２に沿って下にスライドさせ、カラー４は擦動部３１の位置に対応して擦動スリーブ３を押さえる。擦動部３１はこのため内部銃身２の内壁から突出し、これは弾道の第２調整状態であり、銃弾９００は発射後、擦動部３１に擦動されてトップスピンがかかる。
【００２５】
図に示していないその他の実施例では、本考案はカラー４を省き、作動装置６の作動部６１２を擦動スリーブ３の擦動部３１の位置に直接圧着させることもできる。したがって、作動部６１２が擦動スリーブ３を押さえると、擦動スリーブ３を変形させ、内部銃身２中の擦動部３１の位置を変化させることができる。
【００２６】
このほか、本考案はさらに枢着端５ａの端面に波形構造５２３を増設し、さらに銃胴体１に凸部品１１３を増設することもできる。このうち、波形構造５２３も第１枢着部５２１を取り囲み、凸部品１１３は波形構造５２３の１つの溝内に対応して係入される。これにより調整管５が使用者の付勢により回転するとき、枢着端５ａに従って回転する波形構造５２３は凸部品１１３を通って音を発し、調整の感覚が生じる。さらには凸部品１１３が波形構造５２３の各溝を通ったことを使用者がはっきりと感じるため、調整管５の現在の調整程度（または回転角度）を明確に知ることもできる。
【００２７】
好ましくは、調整管５は管体５１と、弾性要素５３と、管体５１の一端に接続される回転盤５２とを含む。回転盤５２は管体５１に従って回転し、弾性要素５３は管体５１にスリーブ接続され、回転盤５２を可動支持する。弾性要素５３は、図７に示すように、回転盤５２の裏面（付番せず）を可動支持し、前記第１枢着部５２１、螺旋案内溝５２２および波形構造５２３は、回転盤５２の表面（付番せず）に設けられる。弾性要素５３により、回転盤はその表面から裏面方向に可動支持力を有し、このようにしてさらに使用者の調整の感覚を高める。このうち、回転盤５２は管体５１の一端に接続され、前記枢着端５ａを形成するため、回転盤５２の表面は前記枢着端５ａの端面に等しい。
【００２８】
要約すると、本考案は背景技術と比較して以下の効果を有する。より簡略化した構造設計により、発射された銃弾９００にトップスピンをかけることができ、さらには弾道調整構造の体積を小さくする（体積が過度に大きいと、遊戯銃のその他の構造の配置設計に影響を及ぼす）と同時に、組立が容易である効果を有する。
【００２９】
このほか、本考案はその他の効果も有する。波形構造５２３および凸部品１１３により、調整過程で音を発し、調整の感覚を生じさせることができ、さらには現在の調整程度（または回転角度）を明確に知ることもでき、比較的精確な調整効果を有する。
【００３０】
以上の記載は、本考案の好ましい実行可能な実施例に過ぎず、本考案の実用新案登録請求の範囲を限定しない。本考案の明細書および図の内容を利用して行った同等の構造変化は、同じ道理ですべて本考案の権利の範囲内に包含される。
【符号の説明】
【００３１】
１００  銃身
１  銃胴体
１１  筐体
１１１  回転軸
１１２  スライド溝
１１３  凸部品
２  内部銃身
２１  不足部分
３  擦動スリーブ
３１  擦動部
４  カラー
４１  凸体
４１１  差込口
５  調整管
５ａ  枢着端
５ｂ  自由端
５１  管体
５２  回転盤
５２１  第１枢着部
５２２  螺旋案内溝
５２３  波形構造
５３  弾性要素
６  作動装置
６１  アーム体
６１１  受動部
６１２  作動部
６２  第２枢着部
７  フレーム
９００  銃弾
【図１】
0003222459.tif 000003
【図２】
0003222459.tif 000004
【図３】
0003222459.tif 000005
【図４】
0003222459.tif 000006
【図５】
0003222459.tif 000007
【図６】
0003222459.tif 000008
【図７】
0003222459.tif 000009
【図８】
0003222459.tif 000010
【図９】
0003222459.tif 000011
【図１０】
0003222459.tif 000012